(57)【要約】【課題】  現場での施工が容易で、かつ種々の設置条件や間取りの建物に対応可能であると共に、大量生産が可能で製造コストも安価となる螺旋階段とする。【解決手段】  支柱２と、支柱２の周りに螺旋状に配置される複数の踏板支持板３を有する螺旋部４と、手摺り５を備えた螺旋階段１である。螺旋階段１は螺旋部４と下階側又は螺旋部４と上階側に連結する直階段状に連続して形成された踏板支持枠２３、２４を有する直階段部２２を有する。支柱２に踏板支持板３を保持するホルダー６を固着する。支柱２に踏板支持枠２３、２４を固定する取り付け金具７を固着する。【選択図】  図１
2006037453.tif 000002
【特許請求の範囲】
【請求項１】
支柱と支柱の周りに螺旋状に配置される複数の踏板支持板を有する螺旋部と、手摺りを備えた螺旋階段において、この螺旋階段は螺旋部と下階側又は螺旋部と上階側に連結する直階段状に連続して形成された踏板支持枠を有する直階段部を有し、支柱に前記踏板支持板を保持するホルダーが固着されると共に、支柱に前記踏板支持枠を固定する取り付け金具が固着されていることを特徴とする螺旋階段。
【請求項２】
踏板支持板は、水平板部の支柱当接部を除いて縁部に下方へ屈曲したリブを有する略扇形に形成され、前記ホルダーは踏板支持板の支柱側の端部付近の内側が嵌合する外側部を有する嵌合体と、嵌合体から先端部が踏板支持板の半径方向に延長し、踏板支持板を下面より支持する支持プレートを備えることを特徴とする請求項１記載の螺旋階段。
【請求項３】
下階側に連結する下部の踏板支持枠は、支柱側の上部が前記取り付け金具に取り付けられると共に、上階側に連結する上部の段板支持枠は、支柱側の下部が前記取り付け金具に取り付けられることを特徴とする請求項１又は２記載の螺旋階段。
【請求項４】
螺旋部の手摺りは、手摺り本体が受け挿し接続されると共に、直階段部の手摺りは手摺り本体が踏板支持枠の両側に設けられ、螺旋部の手摺り本体と接続する側の直階段部の手摺り本体は、螺旋部の手摺り本体と受け挿し接続することを特徴とする請求項１から３のいずれかに記載の螺旋階段。
【請求項５】
螺旋部の手摺り本体の下面に手摺り支柱の上端部が受け挿し連結する接続部が設けられていることを特徴とする請求項４記載の螺旋階段。
【請求項６】
直階段部の踏板支持枠に直階段部の手摺り本体の手摺り支柱の下端部が受け挿し連結する接続部が設けられていることを特徴とする請求項４又は５記載の螺旋階段。
【請求項７】
支柱が各階毎に受け挿し接続されることを特徴とする請求項１から６のいずれかに記載の螺旋階段。
【請求項８】
支柱又は手摺り、或いは支柱と手摺りに照明器具が設けられていることを特徴とする請求項１から７のいずれかに記載の螺旋階段。
【発明の詳細な説明】
【技術分野】
【０００１】
本発明は、住宅、店舗等の建物に設置される螺旋階段に関するものである。
【背景技術】
【０００２】
一般的に螺旋階段は工場内で製造され、その場合、二階用、三階用と階数が高くなるに連れて天井の高い屋根の工場を必要とし、これに踏板を溶接する時は工場内にホイスト、クレーン、チェーンブロック等の設備を必要としている。
又、製造段階で溶接箇所が多いと、溶接による素材の歪みを生じ、正確な製品が得られなくなる。そして、運搬には大型の運搬車や搬入用のクレーン車及びユニック車等の重機車輌が必要とされていた。
【０００３】
又、螺旋階段は踏板を所定の角度をずらして支柱の周りに取り付けるため、位置決めが困難であると共に、高さの調節、更には設置条件によっては高さとは別に螺旋階段が床の端部に接近して設置される場合は問題がないが、床から踏板が離れて床の端部に届かない距離にある場合もあり、設置条件に合わせて製造しなければならなく、設置条件や間取りによって対応が困難で大量生産もできず、それ故、製造コストも高価となっている問題点がある。
【０００４】
そこで、従来、踏板を取り付ける際にクレーン等を用いた大掛かりな工事が不要であり、はしごや脚立を用いることなく製造することができる螺旋階段が特開２００３ー１３８７１５として提案されている。
この螺旋階段は支柱にホルダ部材を設けた筒体を挿入し、ホルダ部材の係止片に踏板部材の係止用突部が係止されて踏板部材が保持されている。
【０００５】
又、軽構造で生産・施工効率のよい螺旋階段が特開２００４ー７６２８１として提案されてる。この螺旋階段は踏板を取り付ける支持部材は中心支柱に嵌挿されている。
【０００６】
従来のこれ等の螺旋階段は、踏板部材又は踏板を取り付ける支持部材を現場で支柱に取り付けるものであるが、各段毎に支柱に挿入していくもので、部品点数も多く、施工性に未だ問題点を残している。
【０００７】
又、設置条件や間取りによって対応するため、螺旋階段に直線状部を設けた螺旋階段が特開２００４ー７６２８０として提案されている。
この螺旋階段は直線状部の踏板は段毎に数段取り付け、かつ直線状部の踏板は中心支柱とは別の外側支柱で支持されている。
又、螺旋階段は夜間暗くなると上がり降りがし難く、踏み外し等の危険性が伴う問題点も有している。この点に関して、踏板に照明具を設けた螺旋階段が実開平５ー７１３２６として提案されている。
【特許文献１】特開２００３ー１３８７１５
【特許文献２】特開２００４ー７６２８１
【特許文献３】特開２００４ー７６２８０
【特許文献４】実開平５ー７１３２６
【発明の開示】
【発明が解決しようとする課題】
【０００８】
上記点より本発明は、現場での施工が容易で、かつ種々の設置条件や間取りの建物に対応可能であると共に、大量生産が可能で製造コストも安価となる螺旋階段を提供しようとするものである。
【課題を解決するための手段】
【０００９】
上記課題を解決するため請求項１記載の本発明螺旋階段は、支柱と支柱の周りに螺旋状に配置される複数の踏板支持板を有する螺旋部と、手摺りを備えた螺旋階段において、この螺旋階段は螺旋部と下階側又は螺旋部と上階側に連結する直階段状に連続して形成された踏板支持枠を有する直階段部を有し、支柱に前記踏板支持板を保持するホルダーが固着されると共に、支柱に前記踏板支持枠を固定する取り付け金具が固着されていることを特徴とするものである。
【００１０】
このような構成とすることにより、螺旋階段に直階段部を設けたため、種々の設置条件や間取りに応じて対応が可能となると共に、直階段部の製造時に設置条件が間取りに対応して高さ調節や支柱から上階側の取り付け部までの水平距離の調節を行えるので、螺旋部は大量生産が可能となる。
支柱には工場で予め踏板支持板を保持するホルダーと、踏板支持枠を固定する取り付け金具が固着されているので、現場で踏板支持板及び踏板支持枠を取り付けるだけで良く、施工が容易である。直階段部は数段が連続して一体形成されているので、作業が簡単で迅速に行える。
【００１１】
次に、請求項２記載の本発明螺旋階段は、請求項１記載の螺旋階段において、踏板支持板は、水平板部の支柱当接部を除いて縁部に下方へ屈曲したリブを有する略扇形に形成され、前記ホルダーは踏板支持板の支柱側の端部付近の内側が嵌合する外側部を有する嵌合体と、嵌合体から先端部が踏板支持板の半径方向に延長し、踏板支持板を下面より支持する支持プレートを備えることを特徴とするものである。
【００１２】
このような構成とすることにより、踏板支持板のホルダーへの取り付けは、踏板支持板の支柱側の端部付近をホルダーの嵌合体の外側部に嵌合すれば、踏板支持板の水平板部の支柱当接側の両側のリブがホルダーを挾むように嵌合するため外側面も接合面も大きく、結合も強固となると共に振動もこの部分で吸収される。そして、踏板支持板は下面より支持プレートで支持されるため、この状態で作業者が乗っても垂れたり脱落することがない。
又、踏板支持板は水平板部の支柱当接部を除いて縁部が下方へ屈曲したリブが形成されているので丈夫なものとなる。
【００１３】
次に、請求項３記載の本発明螺旋階段は、請求項１又は２記載の螺旋階段において、下階側に連結する下部の踏板支持枠は、支柱側の上部が前記取り付け金具に取り付けられると共に、上階側に連結する上部の段板支持枠は、支柱側の下部が前記取り付け金具に取り付けられることを特徴とするものである。
【００１４】
このような構成とすることにより、踏板支持枠は支柱に支持可能となる。
【００１５】
次に、請求項４記載の本発明螺旋階段は、請求項１から３のいずれかに記載の螺旋階段において、螺旋部の手摺りは、手摺り本体が受け挿し接続されると共に、直階段部の手摺りは手摺り本体が踏板支持枠の両側に設けられ、螺旋部の手摺り本体と接続する側の直階段部の手摺り本体は、螺旋部の手摺り本体と受け挿し接続することを特徴とするものである。
【００１６】
このような構成とすることにより、現場で螺旋部の手摺り本体同士の接続、及び螺旋部と直階段部の手摺り本体の接続が簡単に行え、施工が容易となる。
【００１７】
次に、請求項５記載の本発明螺旋階段は、請求項４記載の螺旋階段において、螺旋部の手摺り本体の下面に手摺り支柱の上端部が受け挿し連結する接続部が設けられていることを特徴とするものである。
【００１８】
このような構成とすることにより、現場で螺旋部の手摺り本体と手摺り支柱の連結が簡単に行え、施工が容易となる。
【００１９】
次に、請求項６記載の本発明螺旋階段は、請求項４又は５記載の螺旋階段において、直階段部の踏板支持枠に直階段部の手摺り本体の手摺り支柱の下端部が受け挿し連結する接続部が設けられていることを特徴とするものである。
【００２０】
このような構成とすることにより、現場で直階段部の踏板支持枠に直階段部の手摺り本体の手摺り支柱の連結が簡単に行え、施工が容易となる。
【００２１】
次に、請求項７記載の本発明螺旋階段は、請求項１から６のいずれかに記載の螺旋階段において、支柱が各階毎に受け挿し接続されることを特徴とするものである。
【００２２】
このような構成とすることにより、階数が増えても分割して工場で製造ができ、天井の高い屋根の工場を必要としないと共に、現場での接続も簡単に行える。又接続が受け挿しのため、大きな地震等の横揺れを吸収できる。
【００２３】
次に、請求項８記載の本発明螺旋階段は、請求項１から７のいずれかに記載の螺旋階段において、支柱又は手摺り、或いは支柱と手摺りに照明器具が設けられていることを特徴とするものである。
【００２４】
このような構成とすることにより、特に螺旋に沿っての上り降りは直階段より困難であるが、夜間暗くても階段の上り降りが安全となると共に、螺旋階段の装飾性を高めることができる。
【発明の効果】
【００２５】
本発明によれば、工場での製造は天井の高い屋根は不要で、ホイスト、クレーン、チェーンブロック等の設備も不要であると共に、製造段階で熔接箇所が少ないので経費の節減はもとより、熔接による素材の歪みを極力押さえることができる。
運搬時は組み立て式のため、現場まで大型のトラックは必要とせず、軽トラックで運搬でき、現場への搬入時においても、クレーン車及びユニック車等の重機車輌が不要で、作業者が人力で運べるため大幅な経費節減が可能であるという効果を有する。
【００２６】
又、現場では踏板支持板はホルダーに、踏板支持枠は取り付け金具に固定するだけで良く、簡単に取り付けができる。螺旋部の手摺り本体同士の接続、及び螺旋部の手摺り本体と直階段部の手摺り本体の接続が受け挿しによるため簡単に行え、施工が容易となる効果を有する。
又、螺旋部の手摺り本体と手摺り支柱の連結、及び直階段部の手摺り支柱と踏板支持枠の連結が受け挿しによるため簡単に行え、施工が容易となる効果を有する。更に、直階段部は数段が直階段状に連続して一体形成されているので、取り付けが迅速に行える効果を有する。
【００２７】
又、螺旋階段に直階段部を設けたため、種々の設置条件や間取りに応じて対応が可能となると共に、直階段部の製造時に設置条件や間取りに対応して高さ調節や支柱から上階側や下階側の取り付け部までの水平距離の調節を行えるので、螺旋部は大量生産が可能となり、製造コストも安価となる効果を有する。
【００２８】
支柱や手摺りに照明器具を設けることにより、夜間暗くても階段の上り降りが安全となり、特に螺旋階段は直階段に比べて上り降りがし難いため、高価的であると共に装飾性を高める効果も有する。
【発明を実施するための最良の形態】
【００２９】
以下、本発明の一実施の形態を添付図面を参照して説明する。
図１は本発明螺旋階段の一実施の形態を示す正面図、図２は同上の螺旋部の分解斜視図、図３は上階側に連結する直階段部の取り付け状態を示す分解斜視図、図４は下階側に連結する直階段部の取り付け状態を示す分解斜視図、図５は最下部の支柱の基部側の断面図である。
【００３０】
本発明螺旋部１は、支柱２と支柱２の周りに螺旋状に配置される踏板支持板３を有する螺旋部４と手摺り５を備えている。
図２に示すように、支柱２は円筒状の鋼管から成り、外周面に踏板支持板３が螺旋状に配置されるよう、踏板支持板３を保持するホルダー６が工場で溶接により複数個固着されている。
【００３１】
踏板支持板３は平面視で略扇形に形成された鋼板であり、水平板部３ａの支柱当接部３ｂを除いて縁部に下方へ９０°屈曲したリブ３ｃが形成されている。長辺側の両リブ３ｃ、３ｃは支柱側は高く、反対側が低いテーパー状に形成され、支柱側に二段にネジ挿通孔７が穿設されている。
又、水平板部３ａの外側弧面側で上り方向前側に、後に説明する手摺り支柱１７の挿通孔８か穿設されている。
又、水平板部３ａの外側弧面側で上り方向後側に、後に説明する隣接する上段の手摺り支柱１７の下端部に固着したボルト２０が挿通するボルト挿通孔９が穿設されている。
更に、水平板部３ａの外側弧面側のリブ３ｃに挿通孔８に挿通された手摺り支柱１７を固定するネジ１０のネジ孔１１が設けられている。
【００３２】
ホルダー６は、踏板支持板３の支柱側の端部付近の内側が嵌合する外側部を有する略門形の嵌合体１２と、この嵌合体１２の中央部で基端部が支柱２に熔着され、先端部が踏板支持板３の半径方向に延長し、踏板支持板３の下面に上縁部が直交して当接する支持プレート１３から構成されている。支持プレート１３は同一形状のものを二枚合わせて使用することにより、強度を増大させている。
【００３３】
門形の嵌合体１２の両側の片に踏板支持板３が嵌合した時に、踏板支持板３のリブ３ｃに設けたネジ挿通孔７と合致する箇所に二段にネジ孔１４が設けられ、ネジ１５で踏板支持板３は嵌合体１２に固定される。
【００３４】
螺旋部４の手摺り５は、鉄、ステンレス、アルミ等のパイプ状の手摺り本体１６とパイプ状の手摺り支柱１７から構成されている。
手摺り本体１６は複数に分割され、接続部は一方の手摺り本体１６の接続端部の管口内に棒状又は管状の挿し部材１８が管口から突出するように固着され、この突出した挿し部材１８が他方の手摺り本体１６の接続端部の管口に挿入し、受け挿し接続されるようになっている。
【００３５】
手摺り本体１６と手摺り支柱１７の連結は、手摺り本体１６の下面に手摺り支柱１７と受け挿し連結するように接続部１９が設けられている。
接続部１９は、手摺り本体１６の下面に上端部が溶着された短管１９ａと、短管１９ａ内に棒状又は管状の挿し部材１９ｂが短管１９ａの下端部の管口から突出するように固着され、この突出した挿し部材１９ｂが手摺り支柱１７の上端部の管口に挿入し、受け挿し接続されるようになっている。短管１９ａは手摺り支柱１７と同一パイプを使用する。
接続部１９は所定の間隔で、工場で手摺り本体１６に正確に位置決めして取り付けられる。
【００３６】
手摺り支柱１７の下端部の管内にボルト２０が管口から突出するように固着されている。そして、手摺り支柱１７の踏板支持板３への取り付けは、手摺り支柱１７の下部を踏板支持板３の上り方向前側に設けた挿通孔８に挿通して、隣接する下段の踏板支持板３のボルト挿通孔９にボルト２０の螺子部を挿通し、下面よりナット２１で締着する。
【００３７】
又、本発明螺旋階段１は、螺旋部４と下階側又は螺旋部４と上階側に連結する直階段部２２を有している（図３及び図４）。
直階段部２２は上階側と連結する上部の踏板支持枠２３と、下階側と連結する下部の踏板支持枠２４と、上部の踏板支持枠２３の両側の手摺り２５、２５及び下部の踏板支持枠２４の両側の手摺り２６、２６を備えている。
【００３８】
上部及び下部の踏板支持枠２３、２４は、角形鋼管で長方形の水平な枠状の踏板支持部２３ａ、２４ａと、垂直な長方形の枠状の蹴込み板取り付け部２３ｂ、２４ｂが階段状に連続して一体に形成され、踏板支持部２３ａ、２４ａは中央部に補強用に桟２３ｃ、２４ｃが長辺間に熔着されている。この上部及び下部の踏板支持枠２３、２４は工場で予め製造される。
製造時は、現場の設置条件に応じて段数や蹴込み板取り付け部２３ｂ、２４ｂの高さで上下の高さ調整をし、又踏板支持部２３ａ、２４ａの奥行きの長さにより支柱２と梁３５間の水平距離の調整を行う。
【００３９】
図３に示すように、上階側と連絡する踏板支持枠２３は、支柱２に工場で熔着により固着された鋼板の上下二枚の取り付け金具２７に最下段の踏板支持部２３ａの上り方向前角部が挾持されるもので、上下の取り付け金具２７にネジ挿通孔２７ａが設けられると共に、挾持される踏板支持部２３ａに挾持された時に、ネジ挿通孔２７ａと合致する箇所にネジ孔（図示せず）が予め設けられ、ネジ２８で段板支持枠２３の支柱側の下部が取り付け金具２７に固定される。踏板支持部２３ａの支柱２に当接する角部は切除されて長辺側と短辺側の端部が挾持されるようになっている。
【００４０】
又、最下段の踏板支持部２３ａの支柱側と反対側の上り方向前角部の下面に工場で所定の長さの支持管２９が上端部が溶接で固着され、この支持管２９の下端部の管内にボルト３０が管口より突出するように固着されている。
この支持管２９とボルト３０は螺旋部４の手摺り支柱１７とボルト２０と同径ものもを使用し、これにより支持管２９のボルト３０を隣接する下段の踏板支持板３のボルト挿通孔９に挿通し、ナット３１で固定する。
【００４１】
最上段の踏板支持部２３ａは、その下面に固着したＬ字形の取り付けブラケット３３にネジ挿通孔３３ａが設けられており、ネジ３４で上階の梁３５に固定される。
又、各段の踏板支持部２３ａの上面の前角部に工場で予め棒状又は管状の挿し部材３６が上向きに固着されている。
【００４２】
上部の踏板支持枠２３の手摺り２５は踏板支持枠２３の両側に取り付けられる（図３）。この手摺り２５は螺旋部４の手摺り本体１６と同径の手摺り本体３７と、手摺り本体と連結する手摺り支柱３８から形成され、螺旋部４の手摺り本体１６と接続する側の手摺り本体３７ａは、螺旋部４の手摺り本体１６の接続部に固着されている挿し部材１８が手摺り本体３７ａの接続端部の管口に挿入し、受け挿し接続されるようになっている。
【００４３】
又、手摺り本体３７ａの下面に手摺り支柱３８ａの上端部が固着され、この手摺り支柱３８ａの下端部の管口が上部の踏板支持枠２３に設けた挿し部材３６に挿入し、受け挿し接続されるようになっている。
尚、手摺り支柱３８ａと手摺り本体３７ａの連結は、螺旋部４のように手摺り本体３７ａの下面に接続部を設けて受け挿し接続としても良い。
最上部の手摺り支柱３８ａの下部は上階の床面に当接するフランジ部３９ａが形成され、ネジ４０ａで床面に固定される。
【００４４】
手摺り本体３７ａと反対側の手摺り本体３７ｂは下方側の端部が支柱２の手前まで延長し、手摺り支柱３８ｂは前同様に上端部が手摺り本体３７ｂの下面に固着し、下端部は段板支持枠２３の挿し部材３６と受け挿し連結し、最上部の手摺り支柱３８ｂの下部はフランジ部３９ｂが上階の床面に当接し、ネジ４０ｂで床面に固定される。
【００４５】
図４に示すように、下階側と連結する踏板支持枠２４は、支柱２に固着された前同様の構成を有する上下二枚の取り付け金具４１に最上段の踏板支持部２４ａの上り方向の後角部が挾持されるもので、前同様にネジ４２をネジ挿通孔４１ａより踏板支持部２４ａのネジ孔（図示せず）に螺入し、ネジ４２で踏板支持枠２４の支柱側の上部が取り付け金具４１に固定される。
【００４６】
又、各段の踏板支持部２４ａの上面の角部に前同様の棒状又は管状の挿し部材４３が上向きに固着されている。そして、最上段の踏板支持部２４ａの支柱側と反対側の上り方向後角部の挿し部材４３が、上段に降接する螺旋部４の手摺り本体１６の手摺り支柱１７の下端部の管口に挿入し受け挿し接続する。この手摺り支柱１７の下端部はボルト２０が取り除かれている。
【００４７】
最下段の踏板支持部２４ａの下部に蹴込み板取り付け部２４ｂが連接し、この蹴込み板取り付け部２４ｂの下面に固着したＬ字形の取り付けブラケット４４にネジ挿通孔４４ａが設けられており、ネジ４５で下階の梁３５に固定される。
【００４８】
下部の踏板支持枠２４の手摺り２６は踏板支持枠２４の両側に取り付けられる（図４）。この手摺り本体２６は、螺旋部４の手摺り本体１６と同径の手摺り本体４６と、手摺り本体４６と連結する手摺り支柱４７から形成され、螺旋部４の手摺り本体１６と接続する側の手摺り本体４６ａは、接続部に棒状又は管状の挿し部材４８が管口から突出するように固着され、この挿し部材４８が螺旋部の手摺り本体１６の接続部の管口内に挿入し、受け挿し接続するようになっている。
【００４９】
又、踏板支持枠２４と手摺り支柱４７ａの連結は上部の踏板支持枠２３と同様で、手摺り支柱４７ａの下端部の管口と挿し部材４３が受け挿し接続するようになっている。
手摺り本体４６ａと反対側の手摺り本体４６ｂは上方側の端部が支柱２の手前まで延長し、手摺り支柱４７ｂは上端部が手摺り本体４６ｂの下面に固着し、下端部は踏板支持枠２４の挿し部材４３と受け挿し連結する。
【００５０】
又、本発明螺旋階段１は、鉛直方向に立設される支柱２が各階毎に受け挿し接続される（図３）。
接続は、接続する下階の支柱２の上端部の管口に筒部２ａが上端部から突出するように工場で熔接により固着され、これに挿入される上階の支柱２の接続部の周囲にネジ孔２ｂが穿設され、筒部２ａに上階の支柱２の下部を挿入した後にネジ２ｃで固定する。最上階の支柱２の上端部は蓋（図示せず）が設けられる。
【００５１】
又、本発明螺旋階段１は、支柱２、螺旋部４の手摺り５、直階段部２２の上下手摺り２５、２６の適宜箇所に照明器具５０が設けられている。勿論、踏板支持板３及び踏板支持枠２３、２４にも設けることができる。
照明器具５０は、支柱２、手摺り５、２５、２６の内部又は外部の何れに設けても良い。内部に設ける場合は、取り付ける箇所に切り欠いた窓５１を形成して取り付け、窓５１から踏板を照射するように形成する。
【００５２】
次に、このような構成を有する本発明螺旋階段の施工方法を図面に基づき説明する。
先ず、一階の支柱２を図５に示すように、土間コンクリート６０上に台板６１を固定し、この台板６１上に約５０ｃｍ程度の長さのインローパイプ６２を一体に取り付けたフランジ６３を固定する。
インローパイプ６２に、先ず高さ調整用の環状のスペーサー６４を挿入し、次に支柱２の下部をインローパイプ６２に挿入する。
【００５３】
支柱２にはホルダー６が複数個固着されているので、下方のホルダー６から上方のホルダー６へ順に踏板支持板３を上部から嵌合し、両側のリブ３ｃからネジ１５で踏板支持板３をホルダー６に固定し、螺旋部４の踏板支持板３を順次取り付ける（図２）。
【００５４】
次に、二階と連絡する上り口には、図３のように直階段部２２を設ける。支柱２には二枚の取り付け金具２７が固着されているので、この両取り付け金具２７の間に踏板支持枠２３の下部の角部側を挾持させ、両取り付け金具２７に踏板支持枠２３をネジ２８で固定すると共に、支柱２と反対側の角部は下面に設けた支持管２９のボルト３０を下段の踏板支持板３のボルト挿通孔９に挿通し、ナット３１で固定し、踏板支持枠２３の上部を踏板支持枠２３の下面に設けた取り付けブラケット３３にネジ３４で二階の床の梁３５に固定する。
【００５５】
次に、螺旋部４の手摺り５を取り付けるが、図２に示すように手摺り５は手摺り支柱１７の下部を踏板支持板３の挿通孔８から隣接する下段の踏板支持板３側に挿通し、手摺り支柱１７の下部に設けたボルト２０の螺子部を下段の踏板支持板３のボルト挿通孔９に挿通し、下面よりナット３１で固定すると共に、この手摺り支柱１７を挿通した側の踏板支持板３のリブ３ｃのネジ孔１１からネジ１０で固定することにより、二枚の踏板支持板３と手摺り支柱１７は固定する。
このようにして、順次手摺り支柱１７を取り付けた後、手摺り支柱１７の上方から手摺り本体１６の接続部１９の挿し部材１９ａを手摺り支柱１７の上端部の管口に挿し込み接続する。
【００５６】
又、手摺り本体１６同士は、一方の手摺り本体１６側に設けた挿し部材１８を他方の手摺り本体１６の接続端部の管口に挿し込むことにより接続する。
尚、最下段の踏板支持板３の挿通孔８に挿通した手摺り支柱１７の下端部は、フランジ（図示せず）を設け一階の床面に固定する。
【００５７】
次に、一階の直階段部２２の手摺り２５を取り付けるが、図３に示すように手摺り本体３７ａ、３７ｂと一体の手摺り支柱３８ａ、３８ｂの下端部の管口を段板支持枠２３の挿し部材３６に挿し込み接続する。
螺旋部４側の手摺り本体１６と連結する側の手摺り本体３７ａは、螺旋部４側の手摺り本体１６に設けた挿し部材１８に接続端部の管口を挿し込み接続する。
そして、最上部の両側の手摺り支柱３８ａ、３８ｂは二階の床にフランジ部３９ａ、３９ｂを当接し、ネジ４０ａ、４０ｂで固定する。
【００５８】
次に、図３に示すように二階から三階への階段の取り付けは、一階の支柱２の上端部の筒部２ａに二階の支柱２の下部を挿入して接続し、ネジ２ｃで両支柱２を固定する。
そして、図４に示すように二階の支柱２の下方側に二枚の取り付け金具４１が固着されているので、この両取り付け金具４１の間に下部の踏板支持枠２４の上部の角部側を挾持させ、両取り付け金具４１に踏板支持枠２４をネジ４２で固定すると共に、この踏板支持枠２４の下部を踏板支持枠２４の取り付けブラケット４４にネジ４５で二階の床の梁３５に固定する。
【００５９】
又、支柱２の取り付け金具４１の上方にはホルダー６が複数個固着されているので、この各ホルダー６に一階と同様にして踏板支持板３を夫々固定する。
又、二階から三階への上り口は、一階と二階の上り口と同様にして直階段部２２を構成する。
次に、二階の下部の踏板支持枠２４の両側に手摺り本体４６ａ、４６ｂと一体の手摺り支柱４７ａ、４７ｂの下端部の管口を踏板支持枠２４の挿し部材４３に挿し込み接続する（図４）。
【００６０】
二階の螺旋部４側の手摺り本体１６と連結する側の手摺り本体４６ａは、接続端部の挿し部材４８を二階の螺旋部４側の手摺り本体１６の接続端部の管口に挿し込み接続する（図４）。
そして、二階の螺旋部４側の手摺り１５及びこの螺旋部４の上方の直階段部２２の手摺り２５は、一階の螺旋部４の手摺り５及び直階段部２２の手摺り２５と同様にして取り付ける。以下、同様に三階以上を取り付ける。
尚、踏板支持板３及び踏板支持枠２３、２４に手摺り支柱部を切り欠いた踏板４９が固定される。
【００６１】
以上、本発明を実施形態に基づき具体的に説明したが、本発明は上記実施形態に何ら限定されるものではなく、本発明の趣旨を逸脱しない範囲内で種々の変形・改良が可能である。
【図面の簡単な説明】
【００６２】
【図１】本発明螺旋階段の一実施の形態を示す正面図である。
【図２】本発明螺旋階段の螺旋部の分解斜視図である。
【図３】本発明螺旋階段の上階側に連結する直階段部の取り付け状態を示す分解斜視図である。
【図４】本発明螺旋階段の下階側に連結する直階段部の取り付け状態を示す分解斜視図である。
【図５】最下部の支柱の基部側の断面図である。
【符号の説明】
【００６３】
１  螺旋階段
２  支柱
３  踏板支持板
４  螺旋部
５  螺旋部の手摺り
６  ホルダー
１２  嵌合体
１３  支持プレート
１６  螺旋部の手摺り本体
１７  螺旋部の手摺り支柱
１９  接続部
２２  直階段部
２３  上部の踏板支持枠
２４  下部の踏板支持枠
２５、２６  手摺り
２７  取り付け金具
３７  上部の直階段部の手摺り本体
３８  上部の直階段部の手摺り支柱
４１  取り付け金具
４６  下部の直階段部の手摺り本体
４７  下部の直階段部の手摺り支柱
５０  照明器具
【図１】
2006037453.tif 000003
【図２】
2006037453.tif 000004
【図３】
2006037453.tif 000005
【図４】
2006037453.tif 000006
【図５】
2006037453.tif 000007